(57)【要約】      （修正有）【課題】ユーザにより貯湯式温水器の電源スイッチがオフされた場合や停電等により、貯湯式温水器に対する電源の供給が停止された場合には、所定時間の計時が停止され、貯湯タンク内に滞留した湯を自動で入れ替えることができない。電源の供給が停止された場合にも、貯湯タンク内に長期間に亘って滞留した湯が利用されることを抑制する手段を提供する。【解決手段】電源からの電源電圧の供給が停止されている状態から前記電源電圧が投入された場合に、貯湯タンク内に貯湯されている湯を入れ替えることを報知する、又は前記湯を入れ替える入れ替え制御を実行する制御部を備える。【選択図】図１
2018040522.tif 000002
【特許請求の範囲】
【請求項１】
電源からの電源電圧の供給が停止されている状態から前記電源電圧が投入された場合に、貯湯タンク内に貯湯されている湯を入れ替えることを報知する、又は前記湯を入れ替える入れ替え制御を実行する制御部を備える貯湯式温水器。
【請求項２】
前記電源電圧の供給が停止されている期間である停止期間を算出し、前記停止期間が所定の期間以上であるか否かを判定する入替時期判定部をさらに備え、
前記制御部は、前記停止期間が所定の期間以上になってから前記電源電圧が投入された場合に、前記報知又は前記入れ替え制御を実行する請求項１に記載の貯湯式温水器。
【請求項３】
ユーザによりオン状態に操作された時に前記電源電圧を供給し、前記ユーザにオフ状態に操作された時に前記電源電圧の供給を遮断する電源スイッチと、
前記電源スイッチの近傍に設けられた表示部と、
をさらに備え、
前記制御部は、前記湯を入れ替えること示すメッセージを前記表示部に表示することで前記貯湯タンク内に貯湯されている湯を入れ替えることを報知する請求項１又は請求項２に記載の貯湯式温水器。
【発明の詳細な説明】
【技術分野】
【０００１】
本発明は、貯湯式温水器に関する。
【背景技術】
【０００２】
従来、加熱した湯を貯湯タンク内に貯湯し、この貯湯タンク内から湯を出湯する貯湯式温水器が知られている。この貯湯式温水器では、不使用状態が続くと、長時間に亘って貯湯タンク内に湯が滞留することになり、特に飲料用の貯湯式温水器としては衛生上好ましくない。そこで、貯湯タンク内の湯が使用されてから所定時間の計時を開始し、その所定時間の計時が終了するまでに貯湯タンク内の湯の使用がなかった場合には、その貯湯タンク内に滞留した湯を自動で入れ替える貯湯式温水器が提案されている（例えば、特許文献１参照）。
【先行技術文献】
【特許文献】
【０００３】
【特許文献１】特許第４２５６８５７号公報
【発明の概要】
【発明が解決しようとする課題】
【０００４】
しかしながら、ユーザにより貯湯式温水器の電源スイッチがオフされた場合や停電等により、貯湯式温水器に対する電源の供給が停止された場合には、その貯湯式温水器による所定時間の計時が停止される。したがって、貯湯式温水器に対する電源の供給が停止されてから所定時間が経過した場合でも、電源の供給が停止されている間は貯湯式温水器による所定時間の計時が停止されているため、その貯湯式温水器は、貯湯タンク内に滞留した湯を自動で入れ替えることができない。そのため、ユーザは、電源の供給が停止された状態から貯湯式温水器に電源が再投入された後、すぐに出湯されると、その貯湯タンク内に長期間に亘って滞留した湯が利用される。
【０００５】
本発明は、このような事情に鑑みてなされたもので、その目的は、貯湯タンク内に長期間に亘って滞留した湯が利用されることを抑制可能な貯湯式温水器を提供することである。
【課題を解決するための手段】
【０００６】
本発明の一態様は、電源からの電源電圧の供給が停止されている状態から前記電源電圧が投入された場合に、貯湯タンク内に貯湯されている湯を入れ替えることを報知する、又は前記湯を入れ替える入れ替え制御を実行する制御部を備える貯湯式温水器である。
【０００７】
本発明の一態様は、上述の貯湯式温水器であって、前記電源電圧の供給が停止されている期間である停止期間を算出し、前記停止期間が所定の期間以上であるか否かを判定する入替時期判定部をさらに備え、前記制御部は、前記停止期間が所定の期間以上になってから前記電源電圧が投入された場合に、前記報知又は前記入れ替え制御を実行する。
【０００８】
本発明の一態様は、上述の貯湯式温水器であって、ユーザによりオン状態に操作された時に前記電源電圧を供給し、前記ユーザにオフ状態に操作された時に前記電源電圧の供給を遮断する電源スイッチと、前記電源スイッチの近傍に設けられた表示部と、をさらに備え、前記制御部は、前記湯を入れ替えること示すメッセージを前記表示部に表示することで前記貯湯タンク内に貯湯されている湯を入れ替えることを報知する。
【発明の効果】
【０００９】
以上説明したように、本発明によれば、貯湯タンク内に長期間に亘って滞留した湯が利用されることを抑制することができる。
【図面の簡単な説明】
【００１０】
【図１】本実施形態における貯湯式温水器１１の外観を示す斜視図である。
【図２】本実施形態に係る貯湯式温水器１１の構成の一例を示す図である。
【図３】本実施形態における制御装置１０の概略構成の一例を示す図である。
【図４】本実施形態における表示部５４の表示画面の一例を示す図である。
【図５】本実施形態における制御装置１０の処理の流れを示す図である。
【図６】本実施形態における貯湯式温水器１１の第１の変形例を示す図である。
【図７】本実施形態における貯湯式温水器１１の第２の変形例を示す図である。
【発明を実施するための形態】
【００１１】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。なお、図面において、同一又は類似の部分には同一の符号を付して、重複する説明を省く場合がある。
【００１２】
以下、実施形態の貯湯式温水器を、図面を用いて説明する。
【００１３】
図１は、本実施形態における貯湯式温水器１１の外観を示す斜視図である。図１に示す貯湯式温水器１１は、例えば、壁掛け式である。
【００１４】
貯湯式温水器１１は、ケーシング３１内に後述するヒータ付の貯湯タンク６１を備える。貯湯式温水器１１は、操作パネル１２を備えている。操作パネル１２は、電源スイッチ５３、表示部５４及び操作部５５を備えている。
貯湯式温水器１１は、例えば、壁に設けられている電源コンセント（不図示）に電源ケーブル５２を接続し、ケーシング３１の前面に設けられた電源スイッチ５３がオン状態に操作されることで電源から電源ケーブル５２を介して電源電圧が供給される。そして、貯湯式温水器１１は、この電源電圧を駆動電圧として用いる。
【００１５】
この電源スイッチ５３は、ユーザによりオン状態に操作された場合に電源電圧を貯湯式温水器１１の各部に供給する。一方、電源スイッチ５３は、ユーザにオフ状態に操作された場合には、貯湯式温水器１１の各部に対する電源電圧の供給を遮断する。
【００１６】
表示部５４は、電源スイッチの近傍に設けられている。
表示部５４は、液晶ディスプレイ、有機ＥＬ（Electro Luminescence）ディスプレイ等である。表示部５４は、貯湯式温水器１１に関する種々の情報を表示する。
例えば、表示部５４と電源スイッチ５３とが同じ操作パネル１２内に配置されている。また、表示部５４は、ユーザによる電源スイッチの操作時に、そのユーザが視認できる位置に配置されている。
【００１７】
操作部５５は、貯湯式温水器１１に対して種々のパラメータの設定を行う場合や、貯湯式温水器１１に貯湯されている湯を入れ替える場合にユーザに操作される、例えば、スイッチである。なお、表示部５４は、操作部５５の機能を備えるように構成されてもよい。すなわち、表示部５４は、貯湯式温水器１１に関する種々の情報を表示するとともに、表示した情報に対するユーザの操作を検出する、例えば、タッチパネルであってもよい。
【００１８】
次に、本実施形態に係る貯湯式温水器１１の構成について説明する。図２は、本実施形態に係る貯湯式温水器１１の構成の一例を示す図である。
図２に示すように、貯湯式温水器１１は、ケーシング３１内に、貯湯タンク６１、逆止弁６５，６７、フィルタ６４、減圧弁６６、電磁弁７０、逃し弁７２、サーミスタ７３，７５，７７、フローセンサ７６及び制御装置１０を備える。
【００１９】
給水管３９から供給される水は、フィルタ６４で水中のゴミが除去され、逆止弁６５を流通する。そして、逆止弁６５を流通した水は、減圧弁６６で減圧された後、給水管３９を流通して貯湯タンク６１内に供給される。このとき、サーミスタ７５は、給水の温度を検出する。また、フローセンサ７６は、給水の流量を検出する。
【００２０】
貯湯タンク６１は、内部にヒータ７１を備える。このヒータ７１は、制御装置１０の制御に基づいて、貯湯タンク６１内の水を例えば、６０〜９０℃の湯に沸かす。また、貯湯タンク６１は、内部にサーミスタ７７を備える。貯湯タンク６１内の湯の温度は、このサーミスタ７７により検出され、その検出信号は制御装置１０に出力される。
なお、貯湯タンク６１で沸かされた湯は、熱湯管３６を流通して熱湯水栓３２に供給され、熱湯水栓３２から流出することで、飲用熱湯として利用される。
【００２１】
また、貯湯タンク６１で沸かされた熱湯の一部が、熱湯管３６から熱湯分岐管８１へ分流し、混合水栓３３に供給される。
一方、給水管３９から分岐した給水分岐管８２には、給水管３９から給水の一部が分流する。そして、給水分岐管８２に分流した給水は、混合水栓３３に供給される。これにより、熱湯分岐管８１を流通して供給された熱湯と、給水分岐管８２を流通して供給された水とが混合され生成された湯は、混合水栓３３から流出することで、食器の洗浄等を行うための雑用給湯として利用される。
【００２２】
なお、貯湯タンク６１内で湯を沸かす際には、貯湯タンク６１内部の圧力上昇により膨張水が発生する。内圧が所定圧力を超えると逃し弁７２が開弁し、発生した膨張水は膨張水排出管８３及び排水ホース４０を介して排出される。
【００２３】
また、後述する入れ替え制御において貯湯タンク６１内の湯を排出する場合には、電磁弁７０を開状態に制御することで、貯湯タンク６１内の湯が排水管４１から排出される。また、給水管３９から給水分岐管９２が分岐しており、この給水分岐管９２には、給水管３９から一部の給水が分流する。そして、排水管４１と給水分岐管９２とは、混合部６９で合流している。
【００２４】
混合部６９は、排水管４１と給水分岐管９２との流路合流部となっている。したがって、混合部６９では、排水管４１を流通してきた熱湯と、給水分岐管９２を流通してきた水とが混合する。この混合水は、混合部６９の流出側に設けられた電磁弁７０を介して、排水ホース４０に排出される。
【００２５】
なお、混合水の逆流を防止するため、混合部６９の湯流入側（排水管４１側）には、逆止弁６７が設けられている。
【００２６】
サーミスタ７３は、電磁弁７０の下流側に設けられている。サーミスタ７３は、異常温度検出用であり、逆止弁６７が固着したとき等に生じる排水温の異常高温を検出する。サーミスタ７３により異常高温が検出されると、電磁弁７０が閉弁されることで、安全性が確保されるようになっている。
【００２７】
制御装置１０は、電源からの電源電圧の供給が停止されている状態からその電源電圧が投入された場合に、貯湯タンク６１内に貯湯されている湯を入れ替えること示す警報又は湯を入れ替える入れ替え制御を実行する。以下、本実施形態における制御装置１０について、説明する。
【００２８】
図３は、本実施形態における制御装置１０の概略構成の一例を示す図である。
制御装置１０は、電源状態判定部２１、入替時期判定部２２及び制御部２３を備える。
電源状態判定部２１は、電源スイッチ５３を介して電源２から電源電圧を取得する。
この電源スイッチ５３を介して電源２から供給される電源電圧は、貯湯式温水器１１の各部の駆動電圧として用いられる。
【００２９】
電源状態判定部２１は、電源スイッチ５３を介して取得した電源電圧に基づいて、貯湯式温水器１１に対する電源２からの電源電圧の供給が、停止されたか否かを判定する。例えば、電源状態判定部２１は、電源スイッチ５３を介して取得した電源電圧が所定の電圧Ｖｔｈ未満である場合には、電源電圧の供給が停止されたと判定する。そして、電源状態判定部２１は、電源電圧の供給が停止されていることを示す電源電圧停止信号を入替時期判定部２２に出力する。電源スイッチ５３を介して取得した電源電圧が所定の電圧Ｖｔｈ未満となる場合とは、例えば、電源スイッチ５３がユーザによりオフ状態に操作された場合である。
【００３０】
一方、電源状態判定部２１は、電源スイッチ５３を介して取得した電源電圧が所定の電圧Ｖｔｈ以上である場合には、電源電圧の供給が停止されていないと判定する。そして、電源状態判定部２１は、電源電圧の供給が停止されていない、すなわち、電源電圧が供給されていることを示す電源電圧供給信号を入替時期判定部２２に出力する。電源スイッチ５３を介して取得した電源電圧が所定の電圧Ｖｔｈ以上となる場合とは、例えば、電源スイッチ５３がユーザによりオン状態に操作された場合である。
【００３１】
入替時期判定部２２は、電源スイッチ５３を介して取得する電源電圧の供給が停止されている期間である停止期間を算出し、その停止期間が所定の期間Ｐｔｈ以上であるか否かを判定する。例えば、入替時期判定部２２は、電源状態判定部２１から電源供給停止信号を取得してから、電源供給信号を取得するまでの時間を計時することで停止期間を算出する。また、入替時期判定部２２は、電源状態判定部２１から電源供給停止信号を取得した時間と、電源供給信号を取得した時間とから停止期間を算出してもよい。すなわち、入替時期判定部２２は、停止期間の算出方法には特に限定されない。なお、本実施形態において、入替時期判定部２２には、電源２と電源スイッチ５３との間から電源電圧が供給されている。これは、電源スイッチ５３がオフ状態に操作されることで、電源スイッチ５３を介して取得する電源電圧の供給が停止され、入替時期判定部２２が駆動できなくなることを防止するためである。すなわち、入替時期判定部２２は、電源スイッチ５３を介さずに電源電圧が供給されるため、電源スイッチ５３がオフ状態に操作された場合でも、駆動を継続することが可能である。したがって、入替時期判定部２２は、停止期間を算出することができる。
【００３２】
入替時期判定部２２は、算出した停止期間が、所定の期間Ｐｔｈ以上であるか否かを判定する。入替時期判定部２２は、算出した停止期間が、所定の期間Ｐｔｈ以上であると判定した場合には、その停止期間が所定の期間Ｐｔｈ以上であることを示す停止期間超過信号を制御部２３に出力する。この所定の期間Ｐｔｈは、例えば、貯湯タンク６１内に貯湯されている湯が飲料用として衛生上必ずしも好ましくない状態になる、貯湯タンク６１内の湯の滞留期間である。
【００３３】
図３に示すように、制御部２３は、報知制御部２４及び入替制御部２５を備える。
報知制御部２４は、入替時期判定部２２から停止期間超過信号が出力された場合には、貯湯タンク６１内に貯湯されている湯を入れ替えることを報知する。例えば、図４に示すように、報知制御部２４は、入替時期判定部２２から停止期間超過信号が出力された場合には、表示部５４に貯湯タンク６１内に貯湯されている湯を入れ替えることを促す情報を、表示部５４に表示させることで報知する。なお、報知制御部２４は、表示部５４の代わりにＬＥＤ（Light Emitting Diode）等の発光部で報知してもよい。また、報知制御部２４は、貯湯式温水器１１に備えられた音声部（不図示）から音声メッセージ又はブザー音を出力することで、貯湯タンク６１内に貯湯されている湯を入れ替えることを報知してもよい。図４のように、ユーザが入れ替えの有無を選択するような表示にした場合、ユーザが「いいえ」を選択するか、所定期間操作が行われなかったときには、報知を終了し入れ替え制御を実行しないようにしてもよい。
【００３４】
入替制御部２５は、貯湯タンク６１内に貯湯されている湯を入れ替える入れ替え制御を実行する。例えば、入替制御部２５は、操作部５５から、貯湯タンク６１内に貯湯されている湯の全量を入れ替えることを指示する入替指示信号が出力された場合には、入れ替え制御を実行する。以下に、入れ替え制御について、説明する。
入替制御部２５は、電磁弁７０を開弁することで貯湯タンク６１内の湯の排出を開始して、貯湯タンク６１内の湯の入替を開始する。また、入替制御部２５は、フローセンサ７６の検出信号に基づいて貯湯タンク６１の湯の入替量の積算を開始する。
【００３５】
入替制御部２５は、入替量を積算して得られた積算入替量が、貯湯タンク６１の全容量を超えているか否かを判定する。そして、入替制御部２５は、この判定を一定周期毎に繰り返し、積算入替量が貯湯タンク容量以上であると判定した場合には、入替量の積算を終了し、電磁弁７０を閉弁する。これにより、入替制御部２５は、貯湯タンク６１内の湯の全量入替が完了する。
【００３６】
なお、本実施形態では、入替制御部２５は、操作部５５から入替指示信号が出力された場合に入れ替え制御を実行するが、これに限定されない。例えば、入替制御部２５は、入替時期判定部２２から停止期間超過信号が出力された場合に、入れ替え制御を実行してもよい。この場合には、報知制御部２４は、貯湯タンク６１内に貯湯されている湯を入れ替えることを報知してもよいし、報知しなくてもよい。
【００３７】
以下に、本実施形態における制御装置１０の処理の流れについて、説明する。図５は、本実施形態における制御装置１０の処理の流れを示す図である。なお、制御装置１０は、以下に示す処理を一定周期毎に繰り返し実行する。
【００３８】
電源状態判定部２１は、電源スイッチ５３を介して取得した電源電圧に基づいて、貯湯式温水器１１に対する電源２からの電源電圧の供給が、停止されたか否かを判定する（ステップＳ１０１）。例えば、電源状態判定部２１は、電源スイッチ５３を介して取得した電源電圧が所定の電圧Ｖｔｈ未満である場合には、電源電圧の供給が停止されたと判定する。電源状態判定部２１は、電源電圧の供給が停止されたと判定した場合には、電源電圧停止信号を入替時期判定部２２に出力する。なお、電源状態判定部２１は、電源スイッチ５３を介して取得した電源電圧が所定の電圧Ｖｔｈ以上である場合には、電源電圧の供給が停止されていないと判定し、電源電圧供給信号を入替時期判定部２２に出力する。
【００３９】
入替時期判定部２２は、電源状態判定部２１から電源供給停止信号を取得した場合には計時を開始する（ステップＳ１０２）。
入替時期判定部２２は、電源電圧が電源スイッチ５３を介して投入されたか否かを判定する（ステップＳ１０３）。例えば、入替時期判定部２２は、計時中に電源状態判定部２１から電源電圧供給信号が出力された場合には、電源電圧が電源スイッチ５３を介して投入されたと判定する。そして、入替時期判定部２２は、計時を停止する（ステップＳ１０４）。入替時期判定部２２は、電源状態判定部２１から電源電圧供給信号が出力されるまで、このステップＳ１０３の処理を繰り返す。
【００４０】
入替時期判定部２２は、計時した時間（停止期間）が所定の期間Ｐｔｈ以上であるか否かを判定する（ステップＳ１０５）。入替時期判定部２２は、停止期間が所定の期間Ｐｔｈ以上である場合には、停止期間超過信号を制御部２３に出力する。入替時期判定部２２は、計時した時間（停止期間）が所定の期間Ｐｔｈ以上であるか否かを判定する。入替時期判定部２２は、停止期間が所定の期間Ｐｔｈ未満である場合には、停止期間超過信号を制御部２３に出力せず、本処理を終了する。
【００４１】
制御部２３は、入替時期判定部２２から停止期間超過信号が出力された場合には、貯湯タンク６１内に貯湯されている湯を入れ替えることを報知する、又は貯湯タンク６１内に貯湯されている湯を入れ替える入れ替え制御を実行する（ステップＳ１０６）。
【００４２】
上述したように、本実施形態における貯湯式温水器１１は、電源２からの電源電圧の供給が停止されている状態から電源電圧が投入された場合に、貯湯タンク６１内に貯湯されている湯を入れ替えることを報知する、又はその湯を入れ替える入れ替え制御を実行する。これにより、貯湯式温水器１１は、例えば、ユーザが電源スイッチ５３をオフ状態に操作することで貯湯タンク６１内の湯が長期間使用されない場合において、ユーザが電源スイッチ５３をオン状態に操作した際に、貯湯タンク６１内に貯湯されている湯を入れ替えることを報知する、又は貯湯タンク６１内に貯湯されている湯を入れ替える入れ替え制御を実行することができる。これにより、貯湯式温水器１１は、貯湯タンク６１内に長期間に亘って滞留した湯が利用されてしまうことを抑制でき、さらにはユーザの誤飲を防止可能である。
【００４３】
ここで、従来の貯湯式温水器では、電源電圧が供給されている場合において、貯湯タンク内の湯の未使用期間が所定の期間以上である場合に入れ替え制御を行う。ただし、この方法を電源電圧の供給が停止された場合に適用すると、未使用期間が９６時間で、所定の期間Ｐｔｈが２４時間である場合には、４回の湯の入れ替えを行うことになり、無駄な湯の入替が発生する。
一方、上述の貯湯式温水器１１は、電源電圧が投入された場合に入れ替え制御を実行する。すなわち、貯湯式温水器１１は、未使用期間（停止期間）が９６時間であり、所定の期間Ｐｔｈが２４時間であった場合でも入れ替え制御を行うのは電源電圧が投入された場合の１回である。すなわち、貯湯式温水器１１は、従来と比較して、無駄な湯の入れ替えを防ぐことができる。
【００４４】
また、表示部５４は、電源スイッチ５３の近傍に設けられている。そのため、ユーザが電源スイッチ５３をオン状態に操作した場合に、表示部５４に表示されたメッセージ（貯湯タンク６１内に貯湯されている湯を入れ替えることを示す情報）を容易に確認することができる。すなわち、ユーザは、電源スイッチ５３を視認しながら操作した場合には、電源スイッチ５３をオン状態に操作した後すぐに表示部５４に表示されたメッセージを確認し、湯の入れ替えをすることができる。したがって、貯湯式温水器１１は、貯湯タンク６１内に長期間に亘って滞留した湯が利用されることを抑制し、ユーザの誤飲を防止可能である。
【００４５】
（第１の変形例）
以下に、本実施形態における貯湯式温水器１１の第１の変形例について、説明する。図６は、本実施形態における貯湯式温水器１１の第１の変形例を示す図である。
図６に示すように、本実施形態における第１の変形例変形例の貯湯式温水器１１Ａは、電源スイッチ５３、表示部５４、操作部５５、蓄電部１００（例えば、二次電池）及び制御装置１０を備える。
【００４６】
本変形例の貯湯式温水器１１Ａは、電源２からの電源電圧を蓄える蓄電部１００を備える。入替時期判定部２２は、電源電圧の供給が停止された場合において、蓄電部１００に蓄えられた電源電圧により駆動して、停止期間を算出する。これにより、貯湯式温水器１１Ａは、停電等で電源２からの電源電圧の供給が停止された場合においても停止期間を算出することが可能となり、その停止期間が所定の期間Ｐｔｈ以上である場合には、電源電圧の復帰時において、貯湯タンク６１内に貯湯されている湯を入れ替えることを報知する、又は貯湯タンク６１内に貯湯されている湯を入れ替える入れ替え制御を実行する。これにより、貯湯式温水器１１Ａは、ユーザにより電源スイッチ５３がオフ状態に手動操作されたことにより電源電圧の供給が停止された場合だけでなく、停電等で電源２からの電源電圧の供給が停止された場合でも、貯湯タンク６１内に長期間に亘って滞留した湯が利用されることを抑制し、ユーザの誤飲を防止可能である。
なお、本実施形態では、蓄電部１００は、電源スイッチ５３の前段（電源２側）に接続されているが、これに限定されず、電源スイッチ５３の後段（制御装置１０側）に接続されていてもよい。また、蓄電部１００は、電源２から電力を充電する充電機能を備えていなくてもよい。
【００４７】
（第２の変形例）
以下に、本実施形態における貯湯式温水器１１Ｂの第２の変形例について、説明する。図７は、本実施形態における貯湯式温水器１１Ｂの第２の変形例を示す図である。
図７に示すように、本実施形態における第２の変形例変形例の貯湯式温水器１１Ｂは、電源スイッチ５３、表示部５４、操作部５５及び制御装置１０Ｂを備える。
【００４８】
図７は、本実施形態における制御装置１０Ｂの概略構成の一例を示す図である。
制御装置１０Ｂは、ゼロクロス検出部２００、電源状態記憶部２０１、停止期間カウント部２０２、入替時期判定部２２及び制御部２３を備える。
電源状態記憶部２０１では、電源状態をフラグ管理しており、フラグが０のとき温水器がオフ状態であると判断し各負荷をＯＦＦ状態にし、フラグが１のとき温水器がオン状態であると判断し各負荷の制御を行う。電源状態のフラグは操作パネル１２上にある電源スイッチ５３を操作するたびに０と１とを反転する。
【００４９】
ゼロクロス検出部２００は、交流電圧のゼロ地点の通過(ゼロクロス)を検出し、そのゼロクロスの周期が商用電源周波数よって決まる周期以下となった時に電源電圧が停止したと判定し、その結果を停止期間カウント部２０２に出力する。ゼロクロス検出部２００は、電源電圧が停止したと判定した場合には、電源状態記憶部２０１の電源状態のフラグを不揮発性メモリ（不図示）に退避させる。
【００５０】
停止期間カウント部２０２は、電源状態がオフ状態である期間をカウントする。例えば電源スイッチ５３が操作され、電源状態のフラグが１から０に変化したとき、すなわち電源状態がオフ状態に変わった時に、停止期間カウント部２０２はカウントを開始する。停止期間のカウントは次に電源スイッチ５３を操作され、電源状態がオン状態に変わった時まで継続し、停止期間のカウント結果を入替時期判定部２２に出力する。
なお、停止期間カウント部２０２は自装置の基板に時計機能を有する場合、電源状態がオン状態からオフ状態に変わった時の時刻を記憶しておき、次に運転状態がオフ状態からオン状態に変わった時の時刻から差し引くことで停止期間の算出を行うなどしてもよく、カウント方法には特に限定されない。
【００５１】
一方、停止期間カウント部２０２は、電源状態がオン状態のときは、カウントを常にリセットされた状態に維持する。
【００５２】
また、停止期間カウント部２０２は、運転状態がオン状態の時に電源電圧が停止した場合、カウントを開始する。このカウントは、電源電圧が復帰するまで継続され、停止期間のカウント結果が入替時期判定部２２に出力される。
一方、停止期間カウント部２０２は、運転状態がオフ状態の時に電源電圧が停止した場合、カウントをそのまま継続する。このカウントは電源電圧が復帰した後も継続される。
【００５３】
入替時期判定部２２は停止期間カウント部２０２より出力された停止期間が、所定の期間Ｐｔｈ以上であるか否かを判定する。例えば、入替時期判定部２２は、停止期間カウント部２０２より出力されたカウントが所定の期間Ｐｔｈ以上であるか否かを判定する。入替時期判定部２２は、停止期間が所定の期間Ｐｔｈ以上であると判定した場合には、その停止期間が所定の期間Ｐｔｈ以上であることを示す停止期間超過信号を制御部２３に出力する。この所定の期間Ｐｔｈは、例えば、貯湯タンク６１内に貯湯されている湯が飲料用として衛生上必ずしも好ましくない状態になる、貯湯タンク６１内の湯の滞留期間である。
【００５４】
貯湯式温水器１１，１１Ａ，１１Ｂの各部は、ハードウェアにより実現されてもよく、ソフトウェアにより実現されてもよく、ハードウェアとソフトウェアとの組み合わせにより実現されてもよい。
【００５５】
上述した実施形態における貯湯式温水器１１，１１Ａ，１１Ｂは、コンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよく、ＦＰＧＡ（Field Programmable Gate Array）等のプログラマブルロジックデバイスを用いて実現されるものであってもよい。
【００５６】
以上、この発明の実施形態について図面を参照して詳述してきたが、具体的な構成はこの実施形態に限られるものではなく、この発明の要旨を逸脱しない範囲の設計等も含まれる。
【００５７】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００５８】
１１  貯湯式温水器
２１  電源状態判定部
２２  入替時期判定部
２３  制御部
２４  報知制御部
２５  入替制御部
５３  電源スイッチ
５４  表示部
５５  操作部
１００  蓄電部
【図１】
2018040522.tif 000003
【図２】
2018040522.tif 000004
【図３】
2018040522.tif 000005
【図４】
2018040522.tif 000006
【図５】
2018040522.tif 000007
【図６】
2018040522.tif 000008
【図７】
2018040522.tif 000009